(57)【要約】【課題】搾乳中に母親等の利用者に与える痛み等を軽減し、本来の蠕動様運動の再現を可能にする搾乳装置等を提供すること。【解決手段】乳房部Ｐを配置する乳房配置部２０と、乳房部と乳房配置部との間の空間を負圧空間とするためのポンプ部１１１と、乳房部の根本側から先端側に向かって場所を変えて複数配置され、加圧状態又は非加圧状態に制御可能な加圧部８０と、加圧部に対向するように配置され、加圧部の加圧による乳房部へ影響を受け止める押さえ部７０と、を有し、加圧部は、内部に気体を導入することにより、外部に圧力を加えることができる気体袋部を有している搾乳装置１。【選択図】図２
2018033695.tif 000002
【特許請求の範囲】
【請求項１】
対象者の乳房及び乳首等の乳房部を配置する乳房配置部と、
少なくとも、前記乳房部と前記乳房配置部との間の空間を負圧空間とするためのポンプ部と、
前記乳房部の根本側から先端側に向かって場所を変えて複数配置され、加圧状態又は非加圧状態に制御可能な加圧部と、
前記加圧部に対向するように配置され、前記加圧部の加圧による前記乳房部へ影響を受け止める押さえ部と、を有し、
前記加圧部は、内部に気体を導入することにより、外部に圧力を加えることができる気体袋部を有していることを特徴とする搾乳装置。
【請求項２】
前記押さえ部が前記気体袋部を有していることを特徴とする請求項１に記載の搾乳装置。
【請求項３】
前記押さえ部の前記気体袋部は、加圧状態又は非加圧状態に制御可能な構成となっており、
前記乳房部を前記乳房配置部に配置した後、前記押さえ部及び前記加圧部の前記気体袋部の内部に気体を導入して加圧状態とすることを特徴とする請求項１又は請求項２に記載の搾乳装置。
【請求項４】
前記加圧部は、複数の前記気体袋部を有し、複数の前記気体袋部が順番に膨らむことで、前記乳房部の前記乳房側から前記乳首側にかけて順番に圧力が加わる構成となっていることを特徴とする請求項１乃至請求項３のいずれか１項に記載の搾乳装置。
【請求項５】
対象者の乳房及び乳首等の乳房部を配置する乳房配置部と、少なくとも、前記乳房部と前記乳房配置部との間の空間を負圧空間とするためのポンプ部と、前記乳房部の根本側から先端側に向かって場所を変えて複数配置され、加圧状態又は非加圧状態に制御可能な加圧部と、前記加圧部に対向するように配置され、前記加圧部の加圧による前記乳房部へ影響を受け止める押さえ部と、を有し、
前記加圧部は、内部に気体を導入することにより、気体袋部が外部に圧力を加えることを特徴とする搾乳装置の制御方法。
【発明の詳細な説明】
【技術分野】
【０００１】
本発明は、例えば、母親等が母乳を搾乳するための搾乳装置及び搾乳装置の制御方法に関するものである。
【背景技術】
【０００２】
乳児等が母親等の乳房及び乳首から母乳を摂取するときは、以下のような動作を行う。
すなわち、乳児等は、先ず、母親の乳首の先端部分を自己の口腔内の哺乳窩に配置させる。そして、この状態で乳児等は、その舌を乳首の下側に当て、さらに舌の側面をせり上げて、舌を乳首に密着させ、舌は乳首を包むように配置される。
【０００３】
次いで、乳児等の舌の先端側が盛り上がって、乳首を舌で押し、この動きは次第に舌の根本側へ波うつように移動していくことになる。
この過程で、舌は先端側から根本側にかけて波が移動するような蠕動様の運動（以下、「蠕動様運動」という。）を行い、乳首はその根元から先端に向けて搾られると共に、この乳首と舌と上顎との間の閉空間の負圧が高まる。その後、この閉空間が開放されると、圧力が開放され、乳首から母乳が出ることになる。この出てきた母乳を飲み込むことで、哺乳運動が終了することになる。
【０００４】
このように、乳児等は、母乳を摂取するとき、その舌で蠕動様運動を行うので、搾乳器で乳首から母乳等を搾乳するときも同様な動作を再現することが重要と考え、母親等の乳首から母乳を搾るときも、同様の蠕動様運動の刺激が乳首等の加わる搾乳器が提案されている（例えば、特許文献１）。
【０００５】
すなわち、母親等が、搾乳器のうち、ファネル（漏斗）状に形成された乳受け部に自己の乳房を挿入すると、乳房は乳受け部の表面に形成されたシリコーンゴムから成る柔軟部と当接して安定的に配置される。
また、この柔軟部の乳房が配置される側と反対の側には、配置される乳首の根本側から先端側に対応するように、３個のローラ配置されている。
そして、これらのローラが乳首の根本側から先端側に向かって順次、回転しながら当接することで、乳児の舌による「蠕動様運動」を再現しようとしている。
【先行技術文献】
【特許文献】
【０００６】
【特許文献１】特許第４７７４３７４号公報
【発明の概要】
【発明が解決しようとする課題】
【０００７】
ところで、乳児等による蠕動様運動は、上述のように、舌で乳首を包むように密着して行うものである。
そして、従来の搾乳器で、同様にシリコーンゴムからなる柔軟部を乳首の周囲を密閉するように配置した状態でローラを動作させ、蠕動様運動を行うと、ローラが柔軟部を介して乳首等に当接するため、利用者がローラにより擦られて痛み等を感じることになる。
さらに、搾乳器では乳首から母乳を出すため、吸引ポンプで乳房と乳受け部等とで形成された空間の雰囲気を陰圧にし、これにより吸引する構成ともなっている。
したがって、吸引ポンプで吸引している空間内に配置されている乳首等にローラを当接させると擦られて、より痛みが大きくなり、蠕動様運動の再現が困難になるという問題があった。
さらに、従来の搾乳器は、比較的大掛かりな装置であったため、家庭での個人的使用には不向きであるという問題もあった。
【０００８】
そこで、本発明は、搾乳中に母親等の利用者に与える痛み等を軽減し、本来の蠕動様運動の再現を可能にすると共に家庭での利用も可能にする搾乳装置及び搾乳装置の制御方法を提供することを目的とする。
【課題を解決するための手段】
【０００９】
前記目的は、本発明によれば、対象者の乳房及び乳首等の乳房部を配置する乳房配置部と、少なくとも、前記乳房部と前記乳房配置部との間の空間を負圧空間とするためのポンプ部と、前記乳房部の根本側から先端側に向かって場所を変えて複数配置され、加圧状態又は非加圧状態に制御可能な加圧部と、前記加圧部に対向するように配置され、前記加圧部の加圧による前記乳房部へ影響を受け止める押さえ部とを有し、前記加圧部は、内部に気体を導入することにより、外部に圧力を加えることができる気体袋部を有していることを特徴とする搾乳装置により達成される。
【００１０】
前記構成によれば、加圧部は、乳房部の根本側から先端側に向かって場所を変えて複数配置され、加圧状態又は非加圧状態に制御可能な構成となっており、これら加圧部は、内部に気体を導入することにより、外部に圧力を加えることができる気体袋部を有している。
したがって、乳房部へ圧力を加える加圧部がバルーン（風船）等の気体袋部を有しているので、圧力を乳房部へ加えても使用者が痛みを感じ難い構成となっている。
このため、乳児等の舌の蠕動様運動のように、乳房配置部と乳房部を密着させ、加圧部が乳房部に圧力を加えても、使用者が痛み等を感じ難いので、実際の乳児等の舌による蠕動様運動に近い動作を再現することができ、使用者にとって、より円滑な搾乳が可能となる。また、搾乳装置を小型化できるため、家庭で利用し易い構成ともなっている。
【００１１】
好ましくは、前記押さえ部が前記気体袋部を有していることを特徴とする。
【００１２】
前記構成によれば、押さえ部がバルーン等の気体袋部を有しているので、加圧部で加圧される乳房部側の反対側で、加圧部の加圧による乳房部へ影響を受け止める押さえ部によって当接される乳房部の痛み等の発生を著しく緩和させることができる。
【００１３】
好ましくは、前記押さえ部の前記気体袋部は、加圧状態又は非加圧状態に制御可能な構成となっており、前記乳房部を前記乳房配置部に配置した後、前記押さえ部及び前記加圧部の前記気体袋部の内部に気体を導入して加圧状態とすることを特徴とする。
【００１４】
前記構成によれば、乳房部を乳房配置部に配置した後、押さえ部及び加圧部の気体袋部の内部に気体を導入して加圧状態とするため、使用者は乳房部を乳房配置部に配置し易く、その後の加圧で乳房部は乳房配置部に密着されるので、より確実に密着させることができる。このため、その後の加圧部による動作を、より実際の乳児等の蠕動様運動に近似させることができる。
【００１５】
好ましくは、前記加圧部は、複数の前記気体袋部を有し、複数の前記気体袋部が順番に膨らむことで、前記乳房部の前記乳房側から前記乳首側にかけて順番に圧力が加わる構成となっていることを特徴とする。
【００１６】
前記構成によれば、加圧部により、乳房部の乳房側（根本側）から乳首側（先端側）にかけて順番に圧力が加わるので、より実際の乳児等の蠕動様運動に近似させることができる。
【００１７】
前記目的は、本発明によれば、対象者の乳房及び乳首等の乳房部を配置する乳房配置部と、少なくとも、前記乳房部と前記乳房配置部との間の空間を負圧空間とするためのポンプ部と、前記乳房部の根本側から先端側に向かって場所を変えて複数配置され、加圧状態又は非加圧状態に制御可能な加圧部と、前記加圧部に対向するように配置され、前記加圧部の加圧による前記乳房部へ影響を受け止める押さえ部と、を有し、前記加圧部は、内部に気体を導入することにより、気体袋部が外部に圧力を加えることを特徴とする搾乳装置の制御方法により達成される。
【発明の効果】
【００１８】
本発明は、搾乳中に母親等の利用者に与える痛み等を軽減し、本来の蠕動様運動の再現を可能にすると共に家庭での利用も可能にする搾乳装置及び搾乳装置の制御方法を提供することができるという利点がある。
【図面の簡単な説明】
【００１９】
【図１】本発明の搾乳装置である例えば、「蠕動搾乳器」の主な構成を示す概略図である。
【図２】図１の搾乳器本体の内部構造を示す概略断面図である。
【図３】乳首配置部に母親の乳房及び乳首を配置した状態を示す概略断面図である。
【図４】密着バルーンや第１の蠕動バルーン等と図１の搾乳ポンプ・操作部との関係を示す概略図である。
【図５】本発明にかかる蠕動搾乳器の主な動作例を示す概略説明図である。
【図６】蠕動搾乳器の主な動作例のタイミングチャートを示す概略図である。
【発明を実施するための形態】
【００２０】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の搾乳装置である例えば、「蠕動搾乳器１」の主な構成を示す概略図である。
図１に示すように、「蠕動搾乳器１」は、対象者（使用者）である例えば、母親が自己の乳房部である乳房及び乳首を挿入する「搾乳器本体１０」及びこの搾乳器本体１０を動作させるための「搾乳ポンプ・操作部１００」を有している。
また、これら搾乳器本体１０と「搾乳ポンプ・操作部１００」は、後述する「吸引用チューブ５０」及び「密着バルーン用チューブ１２１」や「第１の蠕動バルーン用チューブ１２２」等を介して相互に接続されている。
【００２２】
この搾乳器本体１０は、図１に示すように、実際に母親の乳房及び乳首を挿入し，配置する「乳房配置部２０」、内部の負圧雰囲気を保持する空間を有する「負圧雰囲気保持部３０」及び搾乳した母乳を蓄える容器である例えば、「哺乳瓶４０」と有すると共に、哺乳瓶４０の上部に着脱可能な構成の「キャップ３１」も有している。
【００２３】
また、乳房配置部２０は、全体がファネル状を成し、挿入口２１を有している。この挿入口２１の開口部分は最も大きな径となっており、その徐々に径が小さくなるように構成されている。
【００２４】
また、この乳房配置部２０の根本側（図１の右側）には、負圧雰囲気保持部３０が配置され、乳房配置部２０と連通可能に接続されている（図２参照）。
この負圧雰囲気保持部３０の下側には、哺乳瓶４０が着脱可能に配置されている。
すなわち、哺乳瓶４０と負圧雰囲気保持部３０は、例えば、それぞれ雄ねじや雌ねじが形成され、これらを螺合させることで、哺乳瓶４０を負圧雰囲気保持部３０に装着可能となっている。
【００２５】
図１の「搾乳ポンプ・操作部１００」の表面には、この「搾乳ポンプ・操作部１００」を動作させ、または動作を停止させるための「スイッチ１０１」が配置されている。また、
「搾乳ポンプ・操作部１００」には、後述する加圧ポンプ１２０の圧力を調整するための「加圧調整ダイヤル１０３」や、後述する吸引ポンプ１１０の圧力を調整するための「吸引調整ダイヤル１０４」が配置されている。
したがって、利用者は、これらの「加圧調整ダイヤル１０３」や「吸引調整ダイヤル１０４」を操作することで、好ましい圧力に容易に調整することができる構成となっている。
【００２６】
図２は、図１の搾乳器本体１０の内部構造を示す概略断面図である。
図２に示すように、乳房配置部２０は、「密着ファネル２２」を有し、密着ファネル２２は、乳房配置部２０の内側、すなわち、母親の乳房が当接する部分に配置されている。この密着ファネル２２は、シリコーンゴム等からなるシート状で形成されている。
したがって、母親等が乳房配置部２０に乳房を配置しても柔らかい感触が確保される。
【００２７】
また、図２に示すように、乳房配置部２０の内部と負圧雰囲気保持部３０の内部とは連通しているが、負圧雰囲気保持部３０の下部の哺乳瓶４０側には、逆止弁３３ａが配置され、この逆止弁３３ａ等によって小室３３が形成されている。
このように、負圧雰囲気保持部３０が小室３３を有するため、乳房配置部２０に母親の乳房が配置され、挿入口２１が閉状態となると、乳房配置部２０の内部と負圧雰囲気保持部３０の内部の空間は、この逆止弁３３ａ等によって閉空間となる。そして、後述のように搾乳で母乳が小室３３に到達し、溜まり負圧が開放されると、その自重で逆止弁３３ａが開き、母乳は哺乳瓶４０へ導かれ、哺乳瓶４０に溜まる構成となっている。
【００２８】
また、図２に示すように、乳房配置部２０には、斜め上方に向かって、挿入口２１が配置されている。
これは、母親が乳房を挿入口２１に挿入させやすい角度としたためである。
【００２９】
図３は、乳首配置部２０に母親の乳房及び乳首（以下「乳房等」という。）Ｐを配置した状態を示す概略断面図である。
以下、図２及び図３を参照しながら説明する。
【００３０】
図２及び図３に示すように、乳房配置部２０の内部に配置された密着ファネル２２は、乳房配置部２０の内部のみならず、図２等に示すように、挿入口２１の端部２１ａで外側に折り曲げるように配置されている。
これにより、図３に示すように、母親の乳房が挿入口２１の端部２１ａに当接しても痛み等を感じることがない構成となっている。
【００３１】
この乳房配置部２０の内側の図２における上側には、密着ファネル２２を介して、押さえ部であり、気体袋部である複数、例えば、２つの密着バルーン７０、７１が配置されている。（図２及び図３では、密着バルーン７０のみを示す。）
なお、本実施の形態では、２個の密着バルーン７０等の例で説明するが、本発明においては、密着バルーンは１個でも良く、３個以上であっても構わない。
これら密着バルーン７０、７１は、シリコーンゴム等からなる風船の一種であり、内部に気体である例えば、空気を導入することで、膨らむ構成となっている。
【００３２】
このように、乳房配置部２０は、２つの密着バルーン７０、７１を有しているが、これら２つの密着バルーン７０、７１は、膨らむことで密着ファネル２２を乳房配置部２０の内側に移動させ、乳房配置部２０に配置されている図３の乳房等Ｐを押圧する構成となっている。
すなわち、密着バルーン７０と７１が膨らんだ状態が、加圧状態の一例で、萎んだ状態が非加圧状態の一例となっている。
なお、図２の密着バルーン７０、７１等は、膨らんだ状態を示し、図３の密着バルーン７０等は萎んだ状態を示す。
【００３３】
このように、密着バルーン７０、７１が膨らむことで、乳房配置部２０に配置された図３の母親の乳房等Ｐの上側に密着ファネル２２が、密着するように押しつけられることになる。
【００３４】
一方、乳房配置部２０の内側の図２における下側には、密着ファネル２２を介して、加圧部であり、気体袋部である複数、例えば、第１の蠕動バルーン８０、第２の蠕動バルーン８１及び第３の蠕動バルーン８２が３つ配置されている。
このように乳房配置部２０は、第１の蠕動バルーン８０、第２の蠕動バルーン８１及び第３の蠕動バルーン８２を有するが、これら第１の蠕動バルーン８０等は、シリコーンゴム等からなる風船の一種であり、内部に気体である例えば、空気を導入することで、膨らむ構成となっている。
【００３５】
そして、膨らむことで密着ファネル２２を乳房配置部２０の内側に移動させ、乳房配置部２０に配置されている図３の乳房等Ｐを押圧する構成となっている。
これら第１の蠕動バルーン８０、第２の蠕動バルーン８１及び第３の蠕動バルーン８２は、それぞれ乳房等Ｐの根本側から先端側である例えば、乳房から乳首に至る領域に、並ぶように配置されている。
【００３６】
このように、第１の蠕動バルーン８０等が膨らんだ状態が、加圧状態の一例で、萎んだ状態が非加圧状態の一例となっている。
なお、図２及び図３の第１の蠕動バルーン８０等は、ともに萎んだ状態を示す。
【００３７】
図４は、密着バルーン７０等や第１の蠕動バルーン８０等と図１の「搾乳ポンプ・操作部１００」との関係を示す概略図である。
図４に示すように、「搾乳ポンプ・操作部１００」は、「制御部・操作部１０２」を有し、この「制御部・操作部１０２」は、図１に示すスイッチ１０１、加圧調整用ダイヤル１０３及び吸引調整用ダイヤル１０４と接続されている。
また、「搾乳ポンプ・操作部１００」は、図４に示すように、「吸引ポンプ１１０」と「加圧ポンプ１２０」を有し、これらは、「制御部・操作部１０２」によって制御等されている。
【００３８】
吸引ポンプ１１０は、図４に示すように、吸引ポンプ用チューブ１１１を介して「負圧用電磁弁１３１」と接続されている。
また、負圧用電磁弁１３１は、吸引用チューブ５０を介してキャップ３１に接続されている。
【００３９】
したがって、吸引ポンプ１１０が動作し、負圧用電磁弁１３が「ＯＮ」となると、図２の負圧雰囲気保持部３０の内部空間の空気を吸引し、同空間を負圧状態とすることができる構成となっている。
【００４０】
さらに、吸引ポンプ１１０の負圧用電磁弁１３１側には、圧力が所定値以上となったときに、圧力を開放し、安全を確保する「吸引ポンプ用開放調整弁１１２」が配置されている。
また、「搾乳ポンプ・操作部１００」には、吸引調整用ダイヤル１０４の操作に応じて、吸引ポンプ１１０の吸引圧力を電圧制御する可変抵抗器を備える「吸引調整装置１０６」が配置されている。この吸引調整装置１０６は、図４に示すように、吸引調整用ダイヤル１０４と隣り合って配置されている。なお、本発明では、吸引調整装置１０６と吸引調整用ダイヤル１０４が一体の構成となっていても良い。
この「吸引調整装置１０６」により、吸引ポンプ１１０の圧力は利用者の所望の圧力値に調整されることになる。
【００４１】
また、加圧ポンプ１２０は、図４に示すように、加圧ポンプ用チューブ６０を介して、それぞれ、密着バルーン用電磁弁１３２、第１の蠕動バルーン用電磁弁１３３、第２の蠕動バルーン用電磁弁１３４及び第３の蠕動バルーン用電磁弁１３５と接続されている。
そして、密着バルーン用電磁弁１３２は、図４に示すように、密着バルーン用チューブ１２１を介して、２つの密着バルーン７０、７１と接続されている。
【００４２】
したがって、加圧ポンプ１２０が動作し、密着バルーン用電磁弁１３２が「ＯＮ」状態となると、空気が密着バルーン７０、７１に送られ、密着バルーン７０、７１が萎んだ状態から膨らんだ状態（図４の破線部分）に変化する構成となっている。
【００４３】
また、図４の第１の蠕動バルーン用電磁弁１３３、第２の蠕動バルーン用電磁弁１３４及び第３の蠕動バルーン用電磁弁１３５は、それぞれ、第１の蠕動バルーン用チューブ１２２、第２の蠕動バルーン用チューブ１２３及び第３の蠕動バルーン用チューブ１２４を介して、それぞれ、第１の蠕動バルーン８０、第２の蠕動バルーン８１及び第３の蠕動バルーン８２と接続されている。
【００４４】
したがって、加圧ポンプ１２０が動作し、第１の蠕動バルーン用電磁弁１３３が「ＯＮ」状態となると、空気が第１の蠕動バルーン８０に送られ、第１の蠕動バルーン８０が萎んだ状態から膨らんだ状態（図４の破線部分）に変化する構成となっている。
同様に、第２の蠕動バルーン用電磁弁１３４や第３の蠕動バルーン用電磁弁１３５が「ＯＮ」状態となると、空気が第２の蠕動バルーン８１や第３の蠕動バルーン８２に送られ、第２の蠕動バルーン８１や第３の蠕動バルーン８２が萎んだ状態から膨らんだ状態（図４の破線部分）にそれぞれ変化する構成となっている。
【００４５】
さらに、加圧ポンプ１２０の加圧ポンプ用チューブ６０側には、圧力が所定値以上となったときに、圧力を開放し、安全を確保する「加圧ポンプ用開放調整弁１２５」が配置されている。
また、「搾乳ポンプ・操作部１００」には、加圧調整用ダイヤル１０３の操作に応じて、加圧ポンプ１２０の加圧圧力を電圧制御する可変抵抗器を備える「加圧調整装置１０５」が配置されている。この加圧調整装置１０５は、図４に示すように、加圧調整用ダイヤル１０３と隣り合って配置されている。なお、本発明では、加圧調整装置１０５と加圧調整用ダイヤル１０３が一体の構成となっていても良い。
この「加圧調整装置１０５」により、加圧ポンプ１２０の圧力は利用者の所望の圧力値に調整されることになる。
【００４６】
なお、図１に示すように、本実施の形態にかかる蠕動搾乳器１は、従来と異なり、小型化できるため、母親等の利用者によって、家庭で使いやすい構成ともなっている。
【００４７】
図５は、本発明にかかる蠕動搾乳器１の主な動作例を示す概略説明図であり、図６は、蠕動搾乳器１の主な動作例のタイミングチャートを示す概略図である。
本実施の形態では、母親が母乳を搾乳するために図１に示す「蠕動搾乳器１」を使用する例で以下説明する。
【００４８】
先ず、母親は、その乳房等Ｐを図１の挿入口２１から挿入し、乳房配置部２０に配置する。この状態を示すのが、図５の（１）であり、図６の（１）である。
図５（１）に示すように、このとき、吸引ポンプ１１０や加圧ポンプ１２０は動作しておらず、密着バルーン７０等と第１の蠕動バルーン８０、第２の蠕動バルーン８１及び第３の蠕動バルーン８２はいずれも萎んだ状態となっている。
このため、母親は自己の乳房等Ｐを乳房配置部２０の密着ファネル２２に容易に奥の位置まで密着させることができる。
【００４９】
次いで、母親は、図１の「搾乳ポンプ・操作部１００」のスイッチ１０１を操作し、蠕動搾乳器１を動作させると共に、加圧調整ダイヤル１０３及び吸引調整ダイヤル１０４を操作し、自己に最適な圧力に調整する。
このように、本実施の形態では、利用者である母親等が、後述する加圧ポンプ１２０と吸引ポンプ１１０の圧力を最適な状態に調整することができるため、痛み等を感じることなく搾乳をすることができる。
【００５０】
蠕動搾乳器１が動作すると、先ず、図５（２）に示す状態となる。すなわち、図４の加圧ポンプ１２０が動作し、密着バルーン用電磁弁１３２のみが「ＯＮ」となる。
このとき、図６の（２）で示すように、第１の蠕動バルーン用電磁弁１３３、第２の蠕動バルーン用電磁弁１３４及び第３の蠕動バルーン用電磁弁１３５は「ＯＦＦ」となっている。
【００５１】
すると、図５（２）に示すように、空気が導入された密着バルーン７０、７１が膨らんだ状態となり、密着ファネル２２を介して、密着バルーン７０、７１は、乳房部Ｐの上側を押しつけるように変形する。
これにより、母親の乳房等Ｐは、乳房配置部２０の密着ファネル２２により密着し、安定的に配置される。
【００５２】
次いで、図５（３）に示す段階へ進む。図５（３）では、図６の（３）に示すように、密着バルーン７０、７１が膨らんだ状態で、すなわち、乳房配置部２０に乳房等Ｐの乳房が密着した状態で、図４の第１の蠕動バルーン用電磁弁１３３を「ＯＮ」状態とする。
【００５３】
これにより、乳房等Ｐの図５の下側に配置されている第１の蠕動バルーン８０内に空気が導入され、第１の蠕動バルーン８０が膨らんだ状態となる。
すなわち、乳房等Ｐは、上側では、膨らんだ状態の密着バルーン７０、７１で押圧されると共に、下側では、膨らんだ第１の蠕動バルーン８０により、密着ファネル２２を介して押圧（加圧）される。このとき、押圧される部分は、乳房等Ｐの根本側となる。
【００５４】
次いで、図５（４）へ進む。図５（４）では、図６の（４）で示すように、密着バルーン７０、７１及び第１の蠕動バルーン８０が膨らんだ状態で、図４の第２の蠕動バルーン用電磁弁１３４を「ＯＮ」状態とする。
すると、乳房等Ｐの図５の下側に配置されている第２の蠕動バルーン８１内に空気が導入され、第２の蠕動バルーン８１が膨らんだ状態となる。
これにより、乳房等Ｐは、上側では、膨らんだ状態の密着バルーン７０、７１で押圧されると共に、下側では、膨らんだ第１の蠕動バルーン８０と第２の蠕動バルーン８１により、密着ファネル２２を介して押圧（加圧）される。このとき、第２の蠕動バルーン８１により押圧される部分は、第１の蠕動バルーン８０より乳首側（先端側）となる。
【００５５】
次いで、図５（５）へ進む。図５（５）では、図６の（６）で示すように、密着バルーン７０、７１及び第２の蠕動バルーン８１が膨らんだ状態で、図４の第１の蠕動バルーン用電磁弁１３３を「ＯＦＦ」状態とする。
すると、図４の第１の蠕動バルーン８０への空気の導入が止まり、図５（５）に示すように、第１の蠕動バルーン８０は萎んだ状態となり、乳房等Ｐへの押圧の圧力が弱まることになる。
【００５６】
このとき、乳房等Ｐの下側を押圧する部分は、第１の蠕動バルーン８０より乳首側（先端側）である第２の蠕動バルーン８１の配置部分に移動することになる。
【００５７】
また、同時に、図６の（５）に示すように、図４の吸引ポンプ１１０が動作し、負圧用電磁弁１３１が「ＯＮ」状態となる。
これにより、図２の負圧雰囲気保持部３０の内部空間から空気が吸引され、この負圧雰囲気保持部３０の内部空間と連通している乳房配置部２０の内部空間からも空気が吸引され、これらの空間は負圧状態となる。
なお、このとき、乳房配置部２０の挿入口２１は、母親の乳房等Ｐによって閉状態となっている。
【００５８】
そして、この負圧状態によって、母親の乳房等Ｐの乳首は吸引され、乳首から出た母乳等は図４の小室３３へ向かって移動することになる。
【００５９】
次いで、図５（６）へ進む。図５（６）から（７）への移動中の例である図５（６）では、図６の（６）に示すように、密着バルーン７０、７１及び第２の蠕動バルーン８１が膨らんだ状態で、図４の第３の蠕動バルーン用電磁弁１３５を「ＯＮ」状態とする。
すると、乳房等Ｐの図５の下側に配置されている第３の蠕動バルーン８２内に空気が導入され、第３の蠕動バルーン８２が膨らんだ状態となる。
【００６０】
これにより、乳房等Ｐは、上側では、膨らんだ状態の密着バルーン７０、７１で押圧されると共に、下側では、膨らんだ第２の蠕動バルーン８１と第３の蠕動バルーン８２により、密着ファネル２２を介して押圧（加圧）される。このとき、第３の蠕動バルーン８２により押圧される部分は、第２の蠕動バルーン８１より乳首側又は乳首部分となる。
【００６１】
したがって、乳房等Ｐの下側を押圧する部分は、第２の蠕動バルーン８１の配置部分のみならず、この部分より乳首側又は乳首部分である第３の蠕動バルーン８２の配置部分も含むことになる。
【００６２】
また、このとき、同時に、図４の吸引ポンプ１１０が動作し、負圧用電磁弁１３１が「ＯＮ」状態を維持し、これにより、図２の負圧雰囲気保持部３０の内部空間から空気が吸引され、この負圧雰囲気保持部３０の内部空間と連通している乳房配置部２０の内部空間からも空気が吸引され、これらの空間は負圧状態が維持される。
したがって、この負圧状態によって、母親の乳房等Ｐの乳首は吸引され、乳首から出された母乳等は図２の小室３３へ向かって移動することになる。
【００６３】
次いで、図５（７）へ進む。図５（７）では、図６の（７）に示すように、密着バルーン７０、７１及び第２の蠕動バルーン８１が膨らんだ状態で、図４の第２の蠕動バルーン用電磁弁１３４を「ＯＦＦ」状態とする。
すると、図４の第２の蠕動バルーン８１への空気の導入が止まり、図５（７）に示すように、第２の蠕動バルーン８１は萎んだ状態となり、乳房等Ｐへの押圧の圧力が弱まることになる。
【００６４】
このとき、乳房等Ｐの下側を押圧する部分は、第２の蠕動バルーン８１より乳首側又は乳首部分である第３の蠕動バルーン８２の配置部分に移動させられることになる。
【００６５】
このように、本実施の形態では、第１の蠕動バルーン８０から第３の蠕動バルーン８２が順に乳房等Ｐの下側を押圧（加圧）する。
すなわち、乳房部の根本側である乳房部側から先端側である乳首側にかけて順番に圧力が加わることになる。
これは、上述の乳児が行う舌による蠕動様運動と同様の動きとなる。
したがって、母親は乳児が授乳を受けているときと同様の動きが再現されるので、極めて自然に搾乳をすることができる。
【００６６】
また、本実施の形態では、母親の乳房等Ｐを押圧するのが、シリコーンゴム等から成り、内部が空気で充満されている第１の蠕動バルーン８０等であるため、乳房等Ｐに乳房配置部２０を密着させ、その状態で押圧しても母親に痛み等を感じさせ難い構成となっている。
したがって、実際に乳児が舌を母親の乳首等に密着させ、舌で蠕動様運動を行う状態に近い動作を再現しても、痛み等のない自然な搾乳を行うことができる。
【００６７】
また、第１の蠕動バルーン８０、第２の蠕動バルーン８１及び第３の蠕動バルーン８２で実行される乳房等Ｐの下側に対する「蠕動様運動」で押圧された乳房等Ｐを上側で支える密着バルーン７０、７１も、同様に空気で膨らませる風船等であるため、これら密着バルーン７０、７１で乳房等Ｐを押圧しても母親に痛み等を感じさせ難い構成となっている。
【００６８】
このように、乳房等Ｐの上側に押さえがあることで、下側での「蠕動様運動」をより効果的に行うことができる。この点、本実施の形態では、密着バルーン７０、７１で上側を確実に押さえていても、母親に痛み等を与えないので、第１の蠕動バルーン８０等によりさらに効果的に「蠕動様運動」を再現することができる。
【００６９】
ところで、図５（７）では、同時に、図４の吸引ポンプ１１０の動作が維持され、負圧用電磁弁１３１が「ＯＮ」状態で維持されている。
これにより、図２の負圧雰囲気保持部３０の内部空間から空気が吸引され、この負圧雰囲気保持部３０の内部空間と連通している乳房配置部２０の内部空間からも空気が吸引され、これらの空間は負圧状態が維持される。
【００７０】
また、吸引力（負圧）は、図５（６）から図５（８）の間に最大となるので、この負圧状態によって、母親の乳房等Ｐの乳首は吸引され、乳首から出された母乳等は図２の小室３３へ向かって移動する。
【００７１】
次いで、図５（８）へ進む。図５（８）では、図６の（８）で示すように、密着バルーン７０が膨らんだ状態で、図４の第３の蠕動バルーン用電磁弁１３５を「ＯＦＦ」状態とする。
すると、図４の第３の蠕動バルーン８２への空気の導入が止まり、図５（８）に示すように、第３の蠕動バルーン８１は萎んだ状態となる。このときは、第１の蠕動バルーン８０乃至第３の蠕動バルーン８２の全てが萎み、これらから乳房等Ｐへの圧力が弱まることになる。
【００７２】
しかし、図５（８）では、同時に、図４の吸引ポンプ１１０の動作が維持され、負圧用電磁弁１３１が「ＯＮ」状態で維持されている。
これにより、図２の負圧雰囲気保持部３０と乳房配置部２０の内部空間からも空気が吸引され、これらの空間は負圧状態が維持され、母乳の搾乳は実行される。
【００７３】
次いで、負圧用電磁弁１３１が「ＯＦＦ」となり、図２の負圧雰囲気保持部３０と乳房配置部２０の内部空間の負圧状態は解除される。
そして、図５（３）から（８）の動作を繰り返すことで、蠕動様運動による搾乳が継続され、一定量の搾乳の後、母親の乳房等Ｐからの搾乳は終了する。
そして、図２の小室３３の一定量の母乳が、その自重で逆止弁３３ａの部分が開いて、母乳が図１の哺乳瓶４０に蓄積されることになる。
【００７４】
本発明は、上記実施形態に限定されず、特許請求の範囲を逸脱しない範囲で種々の変更を行うことができる。
【符号の説明】
【００７５】
１・・・蠕動搾乳器、１０・・・搾乳器本体、２０・・・乳房配置部、２１・・・挿入口、２１ａ・・・端部、２２・・・密着ファネル、３０・・・負圧雰囲気保持部、３１・・・キャップ、３３・・・小室、３３ａ・・・逆止弁、４０・・・哺乳瓶、５０・・・吸引用チューブ、６０・・・加圧ポンプ用チューブ、７０、７１・・・密着バルーン、８０・・・第１の蠕動バルーン、８１・・・第２の蠕動バルーン、８２・・・第３の蠕動バルーン、１００・・・搾乳ポンプ・操作部、１０１・・・・スイッチ、１０２・・・制御部・操作部、１０３・・・加圧調整ダイヤル、１０４・・・吸引調整ダイヤル、１０５・・・加圧調整装置、１０６・・・吸引調整装置、１１０・・・吸引ポンプ、１１１・・・吸引ポンプ、１１２・・・吸引ポンプ用開放調整弁、１２０・・・加圧ポンプ、１２１・・・密着バルーン用チューブ、１２２・・・第１の蠕動バルーン用チューブ、１２３・・・第２の蠕動バルーン用チューブ、１２４・・・第３の蠕動バルーン用チューブ、１２５・・・加圧ポンプ用開放調整弁、１３１・・・負圧用電磁弁、１３２・・・密着バルーン用電磁弁、１３３・・・第１の蠕動バルーン用電磁弁、１３４・・・第２の蠕動バルーン用電磁弁、１３５・・・第３の蠕動バルーン用電磁弁、Ｐ・・・乳房等
【図１】
2018033695.tif 000003
【図２】
2018033695.tif 000004
【図３】
2018033695.tif 000005
【図４】
2018033695.tif 000006
【図５】
2018033695.tif 000007
【図６】
2018033695.tif 000008